(57)【要約】【課題】コネクタ−コネクタ接続ができるハードディスクドライブの収容ケースを提供する。【解決手段】金属製のケース蓋５１と金属製のケース本体５２とから構成されるハードディスクドライブの収容ケース１００であって、ケース本体の周囲内壁面に沿って吸音材５３ｂを内装すると共にケース本体の内側に高伝熱性の緩衝部材５ｂを介して放熱板５４ｂを配置し、放熱板及び放熱板の両側に設けた金属製の支持部材６間にハードディスクドライブを接触させて保持し、ケース本体の一側端に、ハードディスクドライブのインタフェースコネクタに嵌合するメスコネクタ及び外部装置に接続されるオスコネクタと、メスコネクタ及びオスコネクタを結線する中継基板と、を設ける。【選択図】図１
0003119362.tif 000002
【実用新案登録請求の範囲】
【請求項１】
金属製のケース蓋と金属製のケース本体とから構成されるハードディスクドライブの収容ケースであって、該ケース本体の周囲内壁面に沿って吸音材を内装すると共に該ケース本体の内側に高伝熱性の緩衝部材を介して放熱板を配置し、該放熱板及び該放熱板の両側に設けた金属製の支持部材間にハードディスクドライブを接触させて保持し、ケース本体の一側端に、ハードディスクドライブのインタフェースコネクタに嵌合するメスコネクタ及び外部装置に接続されるオスコネクタと、該メスコネクタ及びオスコネクタを結線する中継基板と、を設けたことを特徴とするハードディスクドライブの収容ケース。
【請求項２】
前記ケース蓋と前記ケース本体の後部壁との一端が互いに向き合う切り欠き部が設けられ、前記オスコネクタの後部端面及び前記ケース本体の後部外壁面と、前記オスコネクタの開放部を有する端面及び前記ケース蓋の外面とがそれぞれ同一平面となり、該切り欠き部に収まるように取り付けられることを特徴とする請求項１に記載のハードディスクドライブの収容ケース。
【請求項３】
前記ケース蓋の内面には、高伝熱性の緩衝部材を介して前記ハードディスクドライブに接触する第２の放熱板が介装されていることを特徴とする、請求項１に記載のハードディスクドライブの収容ケース。
【請求項４】
前記ハードディスクドライブが２．５インチサイズの場合、前記ケース蓋及びケース本体からなる組み立て外形寸法を３．５インチハードディスクの外形寸法と合致するようにしたことを特徴とする請求項１に記載のハードディスクドライブの収容ケース。
【考案の詳細な説明】
【技術分野】
【０００１】
本考案は、コネクタ−コネクタ接続が可能なハードディスクドライブの収容ケースに関するものである。
【背景技術】
【０００２】
一般に、ハードディスクドライブは、高速回転する駆動部を備えているので、これに伴って発熱、振動及び音が発生する。例えば、パソコン等に実装されたハードディスクドライブの回転音やシーク音等の駆動音が静かな部屋で気になる場合がある。音楽を楽しむ場合はなおさらである。この対策として、出願人は、特許文献１に示すようなハードディスクドライブの収容ケースを提案した。
【０００３】
この収容ケースは、内側が高伝熱性を有し振動吸収材としても知られるソルボセイン（商品名）のマットと、スポンジ状の吸音材と、放熱板等とを内装したアルミニウムや銅製のケースである。図９に、このように構成した収容ケース５０にハードディスクドライブ６０を収容する手順を示す。まず、手順Ｓ９０では、ドライバでネジを緩め、ケース本体５２に取り付けられたケース蓋５１を外す。次の手順Ｓ９１では、ケース蓋５１の内側と収容ケース５０の内側に、吸音材５３ａ、５３ｂ及びソルボセインのマット上に配置された放熱板５４ａ、５４ｂを確認できる。手順Ｓ９２では、ケース本体５２に、ハードディスクドライブ６０をはめ込む。そして、ハードディスクドライブ６０のコネクタに、インタフェースケーブルとして給電ケーブル５５と信号ケーブル５６を装着し、ケース本体５２の後部壁の切り欠き部から外側に引き出す。最後に、手順Ｓ９３でケース蓋５１を取り付ける。
【０００４】
収容ケース５０の構造は、ハードディスクドライブ６０のコネクタが収容ケース５０の内部に位置するから、インタフェース用のケーブル（給電ケーブル５５及び信号ケーブル５６）が必須である。つまり、ケーブル接続が前提となっている。そのため、例えば、多数のハードディスクドライブが、バックプレーンに設けられた給電コネクタと信号コネクタに挿入され、ディスクアレイ（ＲＡＩＤ）が構成されるような場合、いわゆるコネクタ−コネクタ接続（ケーブルを使用せず直接、コネクタとコネクタをつなぐこと）ができない。
【０００５】
【特許文献１】特開２００２−７４９２９号公報
【考案の開示】
【考案が解決しようとする課題】
【０００６】
本考案の目的は、静音化と放熱特性を満たしたコネクタ−コネクタ接続ができるハードディスクドライブの収容ケースを提供することにある。
【課題を解決するための手段】
【０００７】
上記目的を達成するため、本考案によるハードディスクドライブの収容ケースは、金属製のケース蓋と金属製のケース本体とから構成されるハードディスクドライブの収容ケースであって、該ケース本体の周囲内壁面に沿って吸音材を内装すると共に該ケース本体の内側に高伝熱性の緩衝部材を介して放熱板を配置し、該放熱板及び該放熱板の両側に設けた金属製の支持部材間にハードディスクドライブを接触させて保持し、ケース本体の一側端に、ハードディスクドライブのインタフェースコネクタに嵌合するメスコネクタ及び外部装置に接続されるオスコネクタと、該メスコネクタ及びオスコネクタを結線する中継基板と、を設けたことを特徴とする。
【０００８】
また、前記ケース蓋と前記ケース本体の後部壁との一端が互いに向き合う切り欠き部が設けられ、前記オスコネクタの後部端面及び前記ケース本体の後部外壁面と、前記オスコネクタの開放部を有する端面及び前記ケース蓋の外面とがそれぞれ同一平面となり、該切り欠き部に収まるように取り付けられることが好ましい。
また、前記ケース蓋の内面には、高伝熱性の緩衝部材を介して前記ハードディスクドライブに接触する第２の放熱板が介装されていることが好ましい。
さらに、前記ハードディスクドライブが２．５インチサイズの場合、前記ケース蓋及びケース本体からなる組み立て外形寸法を３．５インチハードディスクの外形寸法と合致するようにすることが好ましい。
【考案の効果】
【０００９】
本考案によるハードディスクドライブの収容ケースによれば、静音化と放熱性を同時に満たしたものであり、収容ケースの内部に設けられたメスコネクタと外部接続用のインタフェースコネクタとしてのオスコネクタとが中継基板上に設けられることから、コントローラ装置（外部装置）とのコネクタ−コネクタ接続ができる。また、中継基板のオスコネクタの周囲に隙間ができないように構成したので遮音性が満たされる。さらに、コネクタ−コネクタ接続だけではなくケーブル接続にも対応できる。
また、ケース本体の後部壁及びケース蓋にそれぞれ切り欠き部を設け、オスコネクタが収容ケースの外面と同一の平面となるようにこの切り欠き部に取り付けられるので、オスコネクタを収容ケースの後方からでも確認でき、接続先のコネクタとの嵌合が容易であり、さらに、蓋の切り欠き部によってオスコネクタのエッジピンが外から見えるので、オスコネクタに接続する場合、ケーブル側のメスコネクタの向きが反対で、挿入がブロックされるというような事態を避けることができる。
さらに、収容ケースの外形寸法を３．５インチハードディスクの外形寸法に合わせたので、２．５インチハードディスクドライブを収容し、ホストの３．５インチハードディスクベイに取り付けるような場合に便利である。
【考案を実施するための最良の形態】
【００１０】
以下、図面を参照して本考案によるハードディスクドライブの収容ケースについて説明する。
図１は、本発明の一実施形態によるハードディスクドライブの収容ケースの後方底面より見た分解斜視図である。１００はアルミニウムや銅等の金属製のケース蓋５１及びケース本体５２からなる箱型の収容ケースである。ケース本体５２の内部の天板部には、点線で示すようにソルボセインのマット５ｂが貼られ、その上に放熱板５４ｂが載置される。ソルボセインのマット５ｂは高伝熱性の緩衝部材であり、また粘着性があるので、放熱板は載せただけでその位置に保持される。また、内部の周囲壁面に沿って吸音材５３ｂが配置される。同様に、ケース蓋５１の裏側にも、ソルボセインのマット５ａと（第２の）放熱板５４ａが設けられ、その周囲に吸音材５３ａが貼り付けられる。支持部材（支持金具）６は、Ｌ型の形状で、放熱板５４ｂに設けられた長穴にネジ止めされるが、収容されるハードディスクドライブの幅方向を移動可能にして、周囲壁面に沿って内装された弾力性の吸音材によってハードディスクドライブが押さえられ支持される。
【００１１】
ケース本体５２の後部壁の一端に中継基板１が設けられる。中継基板１は、後部壁に設けられた２つのネジ孔１０から、皿ネジでスペーサ４を固定し、このスペーサ４の他側端にネジで取り付ける構造としている。中継基板１の一側面には、収容されるハードディスクドライブのインタフェースコネクタに嵌合するメスコネクタ３が設けられる。中継基板１の他側面には、コントローラ等の外部装置と接続する外部接続用のオスコネクタ２が設けられる。メスコネクタ３とオスコネクタ２の対応するピンは中継基板１上の配線パターンで結線されている。
【００１２】
オスコネクタ２は、コネクタ正面２ａ（後部端面）がケース本体５２の後部壁の外側面と同一の平面となるように取り付けられている。また、オスコネクタ２の開放部を有する端面２ｂが、ケース蓋５１を閉めた時のケース蓋５１の外側面と同一の平面となるように取り付けられている。このため、ケース本体５２の後部壁と、ケース蓋５１の一端に、互いに向かい合う切り欠き部を設け、この切り欠き部にオスコネクタが収まるようにしている。このようにオスコネクタ２を取り付けることで、オスコネクタ２の位置が後方から確認でき、接続先のコネクタとの嵌合が容易になる。
【００１３】
一般に、２．５インチや３．５インチのハードディスクドライブは箱型形状であって、箱型の上面はディスクドライブを格納したアルミミウムケース等の平坦な面であり、箱の下側底面に制御基板がカバーなしで取り付けられる。また、制御基板の端にインタフェースコネクタが設けられる。このようなハードディスクドライブを収容ケース１００に収容する場合、ハードディスクドライブの上側の平坦な面が、収容ケース１００の放熱板５４ｂに接触するように収容される。そのため、中継基板１のメスコネクタ３の位置は、やや底面寄りとなる。なお、ハードディスクドライブの制御基板とケース蓋５１の放熱板５４ａの間は、密着せず隙間があり、基板取り付け面の周囲のダイカスト部分がケース蓋５１の放熱板５４ａと接触する。
【００１４】
ハードディスクドライブのインタフェースには、ＡＴＡ仕様やＳＣＳＩ仕様がある。最近では、８ビット又は１６ビットのパラレル転送方式から、１ビットのデータ転送線を使用するシリアル転送方式が普及しつつある。シリアル転送方式は、現在１．９Ｇｐｐｓ（約１９０ＭＢ／ｓ）と高速であり、それぞれ、シリアルＡＴＡ（以下ＳＡＴＡと略す）やシリアルＳＣＳＩ（以下ＳＡＳＩと略す）と呼ばれる。ＳＡＴＡとＳＡＳＩでは、ハードディスクドライブに使用されるインタフェースコネクタの形状が同じである。
【００１５】
中継基板１のオスコネクタ２は、ＳＡＴＡ又はＳＡＳＩに使用されるインタフェースコネクタと同じものである。オスコネクタ２は、図１に示すように、右から左に向けて、第１ポート１１、第２ポート１２、第３ポート１３が設けられる。各ポートはコネクタ内のミニ基板上にあって、第１ポートが７ピン、第２ポートが７ピン、第３ポートが１５ピンのエッジピンが、それぞれ表側、裏側、表側に設けられる。（引出円Ｃ１にオスコネクタの拡大正面図を示す。）なお、第２ポートは、上側に突出したキー部が設けられ、メスコネクタを第１ポートと第３ポートが逆になるようには挿入できないようになっている。
【００１６】
例えば、ＳＡＴＡでは、第１ポート１１の信号線をｓ１〜ｓ７とすると、その構成は、ｓ１、ｓ４、ｓ７がグランド線、ｓ２、ｓ３がディスクへの入力線（Ａ＋、Ａ−に対応）、ｓ５、ｓ６がディスクからの出力線（Ｂ−、Ｂ＋に対応）となっている。また、第３ポートの給電線をｐ１〜ｐ１５とすると、その構成は、ｐ４、ｐ１２、ｐ５、ｐ６、ｐ１０がグランド線、ｐ３が３．３Ｖのプリチャージ電源線、ｐ１、ｐ２が３．３Ｖ電源線、ｐ７が５Ｖのプリチャージ電源線、ｐ８、ｐ９が５Ｖ電源線、ｐ１３が１２Ｖのプリチャージ電源線、ｐ１４、ｐ１５が１２Ｖ電源線、ｐ１１が予備線である。従来のパラレルインタフェースでは、電源ケーブル用コネクタと信号ケーブル用コネクタは異なるコネクタであったが、ここでは１つのインタフェースコネクタに統合されている。なお、第２ポートは個別の信号線が定義される。
【００１７】
３．５インチのハードディスクドライブは、幅が１０１．６ｍｍ、高さが２５．４ｍｍ、奥行きが１４６ｍｍ等となっている。２．５インチのハードディスクドライブは、幅が７０ｍｍ、高さが９．５ｍｍ、奥行きが１００ｍｍ等となっている。収容ケース１００はこれに合わせた外形寸法とすることができ、２．５インチのハードディスクドライブを収容する収容ケース１００の外形寸法を、３．５インチのハードディスクドライブの外形寸法に合わせることができる。これにより、パソコンの３．５インチベイ等に、防振、静音、放熱対策をした２．５インチのハードディスクドライブを装着するような場合に都合がよい。
【００１８】
図２は、前方を上側にしたケース蓋の平面図である。ケース蓋５１の一端には切り欠き部７を設けた。これにより、オスコネクタ２の側面とケース蓋５１の外側面が同じ平面となるようにできる。また、オスコネクタ２の開放部を有する面側も開放されているので、切り欠き部７によって、内部のエッジピン９を見ることができる。また、エッジピン９の掃除もしやすい。ケース蓋５１の左右端には、それぞれ３個の皿ネジ用のネジ孔が設けられる。
【００１９】
図３は、底面を上側にして後方より見た中継基板の正面図である。中継基板１の左右には固定用のネジ孔がある。このネジ孔にネジを通してスペーサ４に固定する。中継基板１の中央付近に、メスコネクタ３の第１ポート１１と第３ポート１３に対応する位置を示した。さらにその上（底面側）には、オスコネクタ２の第１ポート１１と第３ポート１３のエッジピンに対応する位置を示した。
【００２０】
図４は、前方を上側にしたケース本体の平面図（底面図）である。ケース本体５２は、左右にフランジ部があり、ケース蓋５１がネジ止めされるネジ孔がある。ケース蓋５１の前後方向の長さは、ケース本体５２の前部壁の板厚を除いたＬで示される。
【００２１】
図５は、底面を上側にして後方より見たケース本体の正面図である。後部壁には２つのスペーサ４を取り付けるため、２つのネジ孔１０がある。また、後部壁には切り欠き部８が設けられる。切り欠き部８の深さｄとケース蓋５１の厚さｔを加えたものが、オスコネクタ２の高さｈとなる。ｈとｔが与えられると、切り欠き部８のｄを決めることができる。これにより、オスコネクタ２を切り欠き部８に配置した時、オスコネクタ２の開放部を有する端面がケース蓋５１の外面に一致する。
【００２２】
図６は、高伝熱性の緩衝部材（ソルボセインのマット）の平面図である。（ａ）がケース蓋の内側用で、（ｂ）がケース本体用である。各放熱板の形状より少し小さな形状としている。
【００２３】
図７は、放熱板の平面図である。（ａ）がケース蓋の内側用で、（ｂ）がケース本体用である。それぞれのソルボセインのマットの形状より少し大きな形状としている。ケース本体の放熱板５４ｂには、図７（ｂ）に示すように、支持部材（支持金具）６が左右に取り付けられる。そのためのネジ孔が用意されている。
【００２４】
図８は、支持金具の斜視図である。支持金具６は、２枚が用意され、ケース本体５２の天板部の放熱板５４ｂに取り付けられる。支持金具６には長孔が設けられ、ハードディスクドライブの横幅に合わせてスライドするようになっており、ケース本体５２の周囲壁面に沿って内装した弾力性のある吸音材によってハードディスクドライブが押さえられ支持される。
【産業上の利用可能性】
【００２５】
本考案は、ハードディスクドライブの放熱特性を満たしながら静音化を図り、コネクタ−コネクタにより直接接続可能に構成したハードディスクドライブの収容ケースであり、パーソなるコンピュータをはじめディスクアレイ装置にも好適である。また、中継基板のコネクタを変えることで、ＳＡＴＡ、ＳＡＳＩのシリアルインタフェースだけでなく、従来のパラレルインタフェースに対応させることも可能である。さらに、収容ケースも２．５インチのハードディスクドライブに限定するものでなく、３．５インチのハードディスクドライブの収容ケースに適用してもよい。その場合の中継基板は３．５インチ・メスコネクタ−３．５インチ・オスコネクタとなり、３．５インチ・オスコネクタから外部装置とケーブル接続される構造となる。３．５インチのハードディスクドライブの場合は５インチベイに取り付けられる収容ケースになるが、ケーブル接続によりコネクタの位置や前後方向の外形上の制約がないので中継基板も柔軟に設計でき、例えば中継基板にパラレル−シリアル変換回路を搭載するように構成することも可能である。
【図面の簡単な説明】
【００２６】
【図１】本考案の一実施形態によるハードディスクドライブの収容ケースの後方底面より見た分解斜視図である。
【図２】ケース蓋の平面図である。
【図３】中継基板の正面図である。
【図４】ケース本体の平面図である。
【図５】ケース本体の後方正面図である。
【図６】高伝熱性の緩衝部材（ソルボセインのマット）の平面図である。
【図７】放熱板の平面図である。
【図８】支持部材（金具）の斜視図である。
【図９】従来の収容ケースにおける収容手順を示す説明図である。
【符号の説明】
【００２７】
１    中継基板
２    オスコネクタ
３    メスコネクタ
４    スペーサ
５ａ、５ｂ    高伝熱性の緩衝部材（ソルボセインのマット）
６    支持部材（支持金具）
７    ケース蓋の切り欠き部
８    後部壁の切り欠き部
９    エッジピン
１０    ネジ孔
１１    第１ポート
１２    第２ポート
１３    第３ポート
５０、１００    収容ケース
５１    ケース蓋
５２    ケース本体
５３ａ、５３ｂ    吸音材
５４ａ、５４ｂ    放熱板
５５    給電ケーブル
５６    信号ケーブル
６０    ハードディスクドライブ
ｄ    後部壁の切り欠き部８の深さ
ｈ    オスコネクタの高さ
ｔ    ケース蓋の厚さ
ｓ１〜ｓ７    第１ポートの信号線
ｐ１〜ｐ１５    第３ポートの給電線
Ｓ９０〜Ｓ９３    手順
【図１】
0003119362.tif 000003
【図２】
0003119362.tif 000004
【図３】
0003119362.tif 000005
【図４】
0003119362.tif 000006
【図５】
0003119362.tif 000007
【図６】
0003119362.tif 000008
【図７】
0003119362.tif 000009
【図８】
0003119362.tif 000010
【図９】
0003119362.tif 000011